(57)【要約】      （修正有）【課題】簡単な構造でライト装置が着脱出来るヘルメットを提供する。【解決手段】ヘルメットの正面に、ライト取付部材５を固着した。ライト取付部材５は、ほぼ四角形の平板とされた背部５１と、該背部の両横辺において前面側に折り返すよう構成された折返し側部５２と、前記背部の下辺において前面側に直角に曲げられて構成された底部５３とから成る。これをヘルメット１に取り付けておけば、発光ダイオード素子を用いた小型のライト装置を、ヘルメット１に着脱自在に取付けることが可能となる。【選択図】図１
0003150916.tif 000002
【実用新案登録請求の範囲】
【請求項１】
頭部を保護するために着用するへルメットにおいて、
ほぼ四角形の平板とされている背部（５１）と、
該背部の両横辺において前面側に折り返された折返し側部（５２）と、
前記背部の下辺において前面側に直角に曲げられた底部（５３）と
を具えることにより、ライト装置を着脱自在に取付け得るようにしたライト取付部材（５）を、
正面に固着したことを特徴とするへルメット。
【考案の詳細な説明】
【技術分野】
【０００１】
本考案は、工事等の際にかぶるへルメットに関するものである。
【背景技術】
【０００２】
へルメットは、言うまでもなく頭部を保護するためにかぶるものであり、安全を第１に考えるという意識が広くゆきわたっている今日では、ちょっとした工事でも着用が奨励されている。そして、工事が夜間や暗い地下等で行われる場合には、へルメットにライトを取り付けることが行われている。
【０００３】
図４は、従来のへルメットにライトを取り付けた状態を示す図である。図４において、１はへルメット、２はあごひも、３はライト、４はバンドである。ライト３にはバンド４が付けられており、このバンド４をへルメット１の周囲に装着して取り付ける。ライト３の位置は、ちょうどへルメット１の正面にくるような位置とする。
このようなライト３をへルメット１に取り付けると、へルメット１をかぶっている人の前方を照らして、その人の作業をやり易くすると共に、その人が居ることを他人からよく認識してもらえ、その人に危険が及ばないよう工事を安全に進めてもらうことが出来る。
【考案の開示】
【考案が解決しようとする課題】
【０００４】
（問題点）
しかしながら、前記した従来のへルメットには、次のような問題点があった。
第１の問題点は、バンド４が弛んだり外れたりし易いという点である。
第２の問題点は、ライト３の位置がしばしば正面からずれてしまうという点である。
第３の問題点は、ライト３の光の向きが調節できないという点である。
第４の問題点は、ライト３が壊され易いという点である。
【０００５】
（問題点の説明）
まず第１の問題点について説明する。へルメット１の側面は頂上に向かってやや傾斜し、へルメット周回りの長さは頂上に近づくほど小となっている。そのため、バンド４はへルメット１の上部へずれ易い。上部へずれると周回りが短くなるから、どうしても弛み勝ちとなり、場合によってはへルメット１から外れたりすることがある。そこで、へルメットをかぶっている人は、弛んだり外れたりしはしないかと、絶えず注意していなければならず、面倒であるという点である。
【０００６】
次に第２の問題点について説明する。バンド４が弛むと、ライト３はへルメット１の周方向（横方向）へも動き易くなり、頭を強く振ったり、作業の途中に何かが当たったりした拍子に正面位置から横へずれることがある。そうなると、作業に支障をきたすから、ライト３をいちいち正面位置に戻す必要があり、手間がかかる。
【０００７】
次に第３の問題点について説明する。図４に示すように、ライト３は、その背部がへルメット１の外側面に押し当てられるような姿勢で取り付けられる。従って、ライト３の光の方向は、やや上向きかげんになる。しかも、この方向は固定されており、上下に向きを変えることは出来ない。そのため、もう少し下の方向を照らしたいという場合、必要以上に顔を下に向けなければならず、作業をする姿勢が不自然になってしまう。
次に第４の問題点について説明する。ライト３はむきだしのままへルメット１に取り付けられているので、上から何かが落下してきたりした場合に壊され易かった。
本考案は、以上のような問題点を解決することを課題とするものである。
【課題を解決するための手段】
【０００８】
前記課題を解決するため、本考案では、頭部を保護するために着用するへルメットにおいて、ほぼ四角形の平板とされている背部（５１）と、該背部の両横辺において前面側に折り返された折返し側部（５２）と、前記背部の下辺において前面側に直角に曲げられた底部（５３）とを具えることにより、ライト装置を着脱自在に取付け得るようにしたライト取付部材（５）を、正面に固着することとした。
【考案の効果】
【０００９】
本考案のへルメットによれば、次のような効果を奏する。
１．ヘルメットの正面にライト取付部材を設け、これにライト装置を差し込んだり抜いたりすることにより着脱し得るようにしたので、簡単な構造でライト装置が着脱出来るようになった。
なお、ヘルメットを取り巻くバンドは用いる必要がないので、バンドの弛みにより外れたりするというような問題は起こらなくなった。
２．ライト取付部材はヘルメットの正面に固着されているので、そこに取付けたライト装置が正面からずれるということは起こらなくなった。
３．ライト取付部材に取り付けるライト装置として、蝶番によりライト部の角度が変えられるものを用いることにすれば、必要に応じてライトの光の向きを変えることが出来る。
【考案を実施するための最良の形態】
【００１０】
以下、本考案の実施形態を図面に基づいて詳細に説明する。
図１は、本考案のヘルメットの実施形態を示す図である。符号は図４のものに対応し、５はライト取付部材、５１は背部、５２は折返し側部、５３は底部である。図１（１）はへルメットを右側方から見た図、図１（２）は正面から見た図である。
【００１１】
へルメット１の正面には、ライト取付部材５が設けられている。ライト取付部材５は、背部５１，折返し側部５２および底部５３から成っている。背部５１はほぼ四角形の平板であり、折返し側部５２は背部５１の両横辺において前面側に折り返された部分であり、底部５３は背部５１の下辺において前面側に直角に曲げられた部分である。
ライト取付部材５の材質は、金属であってもよいし、プラスチックであってもよい。本考案では、このようなライト取付部材５が、ねじあるいは接着剤等適宜の手段によりヘルメット１の正面に固着される。
【００１２】
上記のような本考案のヘルメット１にライト装置を取り付ける場合には、取付けが着脱自在に出来るようにされている市販の小さなライト装置を取り付ける。最近では発光ダイオード素子の性能の向上に伴い、該素子を発光体として用いた小型のライト装置が多く市販されているが（例えば自転車のライトなどに）、それを使用するのが望ましい。
図３は、そのようなライト装置の１例を示す図である。図３において、６はライト装置、６１は取付部、６２は蝶番、６３はライト部、６３Ａはスイッチ、６３Ｂは発光ダイオード素子、６３Ｃは電池である。図３（１）はライト装置６の正面部、図３（２）はライト装置６の側面図、図３（３）は光の方向を少し下方に向けた側面図である。
【００１３】
ライト装置６は、大きく分けて取付部６１と蝶番６２とライト部６３とから出来ている。取付部６１は、ライト装置６をどこかに取り付ける際、その取付部材に嵌め込んで取り付けるための部分である。ライト部６３は本体部分であり、この中にはスイッチ６３Ａ，電池６３Ｃ，および発光ダイオード素子６３Ｂが組み込まれている。スイッチ６３Ａを押すことにより、発光ダイオード素子６３Ｂを点灯，点滅，消灯させることが出来る。蝶番６２は、取付部６１とライト部６３とを連結すると共に、互いの角度を任意に変えられるようにするためのものである。
【００１４】
図２は、本考案のへルメットにライト装置を取付けた状態を示す図である。符号は図１，図３のものに対応している。図２（１）は右側面図であり、図２（２）は正面図である。まず、図２（１）によって、ライト装置６のヘルメット１への取り付け方を説明する。ライト装置６の取付部６１を、ヘルメット１に固着されているライト取付部材５の折返し側部５２間に上方から差し込み、底部５３に当接するところまで差し込む。取付部６１の両側は、折返し側部５２によりしっかりと保持される。
このようにして取り付けられた時の正面図は図２（２）の如くであり、スイッチ６３Ａを手で押すことにより、発光ダイオード素子６３Ｂの点灯，消灯等を行うことが出来る。また、ライト部６３を手でつかんで上下の角度を変えることが出来るから、光の方向も上下に任意に変えることが出来る。
なお、ライト装置６を取り外す場合は、上記の逆を行う。即ち、取付部６１を折返し側部５２に沿って上方に引き抜くことにより、ヘルメット１より離脱させることが出来る。
【図面の簡単な説明】
【００１５】
【図１】本考案のヘルメットの実施形態を示す図
【図２】本考案のへルメットにライト装置を取付けた状態を示す図
【図３】ライト装置を示す図
【図４】従来のへルメットにライトを取り付けた状態を示す図
【符号の説明】
【００１６】
１…へルメット、２…あごひも、３…ライト、４…バンド、５…ライト取付部材、６…ライト装置、５１…背部、５２…折返し側部、５３…底部、６１…取付部、６２…蝶番、６３…ライト部、６３Ａ…スイッチ、６３Ｂ…発光ダイオード素子、６３Ｃ…電池
【図１】
0003150916.tif 000003
【図２】
0003150916.tif 000004
【図３】
0003150916.tif 000005
【図４】
0003150916.tif 000006